(57)【特許請求の範囲】
【請求項１】
相対向して嵌合される雌雄のコネクタハウジングの一方のコネクタハウジングに設けた可撓性のロックアームと、他方のコネクタハウジングに設けられて前記ロックアームのロック突起が係合されるロック係止部とを備えたロック構造であって、前記雌雄のコネクタハウジングの嵌合動作時に、前記ロックアームのロック前の撓み変形を矯正する矯正部を前記他方のコネクタハウジングに設けたことを特徴とするロック構造。
【請求項２】
請求項１記載のロック構造であって、前記ロックアームが雄コネクタハウジングに設けられ、前記ロック係止部が前記雌コネクタハウジングの前記雄コネクタハウジングが挿入・嵌合されるフード部に設けられ、前記矯正部が該フード部内に設けられていることを特徴とするロック構造。
【請求項３】
請求項１又は請求項２記載のロック構造であって、前記ロックアームが前記雄コネクタハウジングに中間部で支持され、前記雌コネクタハウジングへの嵌合方向前方側に前記矯正部と摺動する矯正受部が設けられ、雌コネクタハウジングへの嵌合方向後方側に前記ロック突起が設けられていることを特徴とするロック構造。
【請求項４】
請求項１又は請求項２記載のロック構造であって、前記ロックアームが前記雄コネクタハウジングに前記雌コネクタハウジングへの嵌合方向の前方側で支持部を介して支持され、前記矯正部が前記支持部を挿通して前記ロックアームの撓み空間側の面に摺動することを特徴とするロック構造。
【請求項５】
請求項１又は請求項２記載のロック構造であって、前記ロックアームが前記雄コネクタハウジングに前記雌コネクタハウジングへの嵌合方向の前方側及び後方側でそれぞれ支持され、前記矯正部が前記前方側の支持部を挿通して前記ロックアームの撓み空間側の面に摺動することを特徴とするロック構造。
【請求項６】
請求項１又は請求項２記載のロック構造であって、前記ロックアームが前記雄コネクタハウジングの外周から突設された一対の側壁間に配置され、前記雌コネクタハウジングへの前記雄コネクタハウジングの嵌合方向先端側で前記一対の側壁に両側部がそれぞれ支持され、前記一対の側壁間の前記ロックアームの下部に挿入された前記矯正部が当接・摺動する当接支点を有することを特徴とするロック構造。
【発明の詳細な説明】
【０００１】
【発明の属する技術分野】
本発明は、雌雄のコネクタハウジング同士の嵌合状態をロックするロック構造に関する。
【０００２】
【従来の技術】
図１３は、実開昭５６ー７２８７号公報に記載されたロック装置を用いたコネクタ１を示す。同図において、このコネクタ１は、雄コネクタハウジング２と、この雄ハウジング２が挿入・嵌合されるフード部３を有する雌コネクタハウジング４とからなる。雄コネクタハウジング２には、嵌合面５側で片持支持された可撓性のロッキングアーム６が設けられている。このロッキングアーム６の中間部には、ロック突起７が突設され、自由端側には、操作部８が設けられている。
【０００３】
一方、雌コネクタハウジング４のフード部３には、ロッキングアーム６が挿入可能な溝部９が形成され、この溝部９の両側を掛け渡すように係止部材１０が設けられている。この溝部９内には、雄コネクタハウジング２と雌コネクタハウジング４との嵌合時にロッキングアーム６が挿入され、ロック突起７が係止部材１０に係合する。
【０００４】
この場合、雄コネクタハウジング２をフード部３内に挿入すると、ロック突起７が係止部材１０に当接し、さらに雄コネクタハウジング２をフード部３の奥方に挿入することにより、ロッキングアーム６が撓み、ロック突起７が係止部材１０を乗り越えると、ロッキングアーム６の自身の弾性力で元の位置に復帰しロック突起７が係止部材１０に係合する。ロック突起７が係止部材１０に係合することにより、ロック状態となり、雄コネクタハウジング２と雌コネクタハウジング４との嵌合状態が保持される。
【０００５】
【発明が解決しようとする課題】
しかしながら、何らかの外力によって、ロッキングアーム６が撓んだままの状態で雄コネクタハウジング２をフード部３内に挿入すると、ロッキングアーム６のロック突起７と係止部材１０とが正規に係合しないので、通常の作動に比較して違和感があり、操作感覚が悪くなる。
【０００６】
また、ロック突起７が係止部材１０を乗り越えても、ロッキングアーム６が元の形状に戻らない場合には、ロック突起７が係止部材１０に確実に係合することができないという問題を有している。
【０００７】
そこで、本発明は、ロック時に良好な操作感覚を得ることができると共に、確実なロックを行うことができるロック構造の提供を目的とする。
【０００８】
【課題を解決するための手段】
上記目的を達成するため、請求項１の発明は、相対向して嵌合される雌雄のコネクタハウジングの一方のコネクタハウジングに設けた可撓性のロックアームと、他方のコネクタハウジングに設けられて前記ロックアームのロック突起が係合されるロック係止部とを備えたロック構造であって、前記雌雄のコネクタハウジングの嵌合動作時に、前記ロックアームのロック前の撓み変形を矯正する矯正部を前記他方のコネクタハウジングに設けたことを特徴としている。
【０００９】
このロック構造では、雌雄のコネクタハウジングを嵌合する前に、何らかの外力によってロックアームが撓み変形していても、この状態のまま雌雄のコネクタハウジングを嵌合させると、矯正部がロックアームの撓み変形を矯正して、ロックアームを正規な状態にする。これにより、ロック突起がロック係止部に正規な状態で係合し、正規なロックを行うことができる。従って、ロック時に良好な操作感覚を得ることができると共に、確実なロックを行うことができる。
【００１０】
請求項２の発明は、請求項１記載のロック構造であって、前記ロックアームが雄コネクタハウジングに設けられ前記ロック係止部が前記雌コネクタハウジングの前記雄コネクタハウジングが挿入・嵌合されるフード部に設けられ、前記矯正部が該フード部内に設けられていることを特徴としている。
【００１１】
このロック構造では、雄コネクタハウジングを雌コネクタハウジングのフード部内に挿入すると、ロック突起がロック係止部に当接し、ロックアームが撓むことにより、ロック突起がロック係止部を乗り越えて、ロックアーム自身の弾性力で元の位置に復帰する。これにより、ロック突起がロック係止部に係合し、ロック状態となる。
【００１２】
このとき、例えば何らかの外力によってロックアームが撓み変形していても、雄コネクタハウジングと雌コネクタハウジングとを嵌合させると、矯正部が撓み変形しているロックアームを元の位置に矯正するので、ロックアームは正規に撓むことによってロック突起がロック係止部に係合する。これにより、ロック時に良好な操作感覚を得ることができると共に、確実なロックを行うことができる。
【００１３】
請求項３の発明は、請求項１又は請求項２記載のロック構造であって、前記ロックアームが前記雄コネクタハウジングに中間部で支持され、前記雌コネクタハウジングへの嵌合方向前方側に前記矯正部と摺動する矯正受部が設けられ、雌コネクタハウジングへの嵌合方向後方側に前記ロック突起が設けられていることを特徴としている。
【００１４】
このロック構造では、何らかの外力によりロックアームが撓み変形している状態で、雄コネクタハウジングを雌コネクタハウジング内に挿入するとロックアームの矯正受部が矯正部と摺動することによってロックアームを正規な位置に矯正する。この結果、ロック突起がロック係止部に正規な状態でロックするので、ロック時に良好な操作感覚を得ることができ、確実なロックを行うことができる。
【００１５】
請求項４の発明は、請求項１又は請求項２記載のロック構造であって、前記ロックアームが前記雄コネクタハウジングに前記雌コネクタハウジングへの嵌合方向の前方側で支持部を介して支持され、前記矯正部が前記支持部を挿通して前記ロックアームの撓み空間側の面に摺動することを特徴としている。
【００１６】
このロック構造では、片持支持されたロックアームが何らかの外力により、撓んでいても、雄コネクタハウジングと雌コネクタハウジングとの嵌合によって矯正部がロックアームの撓み空間側の面に摺動することによって矯正し、ロックアームを正規な位置に戻す。この結果、ロック時に良好な操作感覚を得ることができ、確実なロックを行うことができる。
【００１７】
請求項５の発明は、請求項１又は請求項２記載のロック構造であって、前記ロックアームが前記雄コネクタハウジングに前記雌コネクタハウジングへの嵌合方向の前方側及び後方側でそれぞれ支持され、前記矯正部が前記前方側の支持部を挿通して前記ロックアームの撓み空間側の面に摺動することを特徴としている。
【００１８】
このロック構造では、両持ち支持されたロックアームが何らかの外力により、撓んでいても、雄コネクタハウジングと雌コネクタハウジングとの嵌合によって矯正部がロックアームの撓み空間側の面に摺動することによって矯正し、ロックアームを正規な位置に戻す。この結果、ロック時に良好な操作感覚を得ることができ、確実なロックを行うことができる。
【００１９】
請求項６の発明は、請求項１又は請求項２記載のロック構造であって、前記ロックアームが前記雄コネクタハウジングの外周から突設された一対の側壁間に配置され、前記雌コネクタハウジングへの前記雄コネクタハウジングの嵌合方向先端側で前記一対の側壁に両側部がそれぞれ支持され、前記一対の側壁間の前記ロックアームの下部に挿入された前記矯正部が当接・摺動する当接支点を有することを特徴としている。
【００２０】
このロック構造では、一対の側壁に両側部が支持されたロックアームが何らかの外力により撓んでいても、雄コネクタハウジングと雌コネクタハウジングとの嵌合により矯正部が当接支点に当接摺動することによって矯正し、ロックアームを正規な位置に戻す。この結果、ロック突起とロック係止部との良好なロック時に良好な操作感覚を得ることができる。
【００２１】
【発明の実施の形態】
以下、本発明に係るロック構造の実施形態について説明する。
【００２２】
第１実施形態
図１乃至図３は、本発明に係るロック構造が用いられた第１実施形態のコネクタ１１を示す。図１に示すように、コネクタ１１は、雄コネクタハウジング１２と、この雄コネクタハウジング１２が挿入嵌合されるフード部１３を有する雌コネクタハウジング１４とで形成されている。雄コネクタハウジング１２内には、端子収容室１５が形成され、内部に雌端子１６が収容されている。また、雄コネクタハウジング１２には、フード部１３内への嵌合面１７側に支持部１８を介して可撓性のロックアーム１９が一体に形成されている。このロックアーム１９の一側には、矯正受部２０が形成されている。支持部１８を挟んで矯正受部２０の反対側には、ロック突起２１が突設されている。さらに、ロック突起２１の先端側には、操作部２２が形成されている。矯正受部２０は、図３に示すように、薄肉に形成されており、先端部には、斜面２３が形成されている。
【００２３】
この場合、矯正受部２０が薄肉に形成されていることにより、外力が加わってロックアーム１９が撓んだ状態でも、雄コネクタハウジング１２がフード部１３内に挿入することができる。すなわち、ロックアーム１９が正規な状態にあるときの雄コネクタハウジング１２の高さ寸法と、フード部１３の内径寸法が等しい場合、ロックアーム１９が撓んでいると雄コネクタハウジング１２をフード部１３内に挿入することができないが、矯正受部２０を薄肉にすることにより、ロックアーム１９が撓んでいたとしても、雄コネクタハウジング１２をフード部１３内に挿入することができる。従って、矯正受部２０を薄肉することによりにがしが有効となる。
【００２４】
一方、雌コネクタハウジング１４には、雄端子２４が収容されており、雄端子２４の接触部２５がフード部１３内に突設されている。そして、フード部１３内に雄コネクタハウジング１２が挿入・嵌合されると雄コネクタハウジング１２内の雌端子１６と接触部２５が接続される。また、フード部１３には、内外を連通する孔部２６が形成されている。この孔部２６の内壁にロック係止部２７が形成されている。ロック係止部２７には、フード部１３内に挿入・嵌合された雄コネクタハウジング１２のロック突起２１が係合する。
【００２５】
さらに、フード部１３の奥方には、矯正部２８が設けられている。この矯正部２８はフード部１３の底面から、開口１３ａ側に向けて延設され、先端部が孔部２６側に向けて上り傾斜の傾斜面２９が形成されている。この矯正部２８は、フード部１３内に雄コネクタハウジング１２を挿入すると、ロックアーム１９の矯正受部２０と摺動する。
【００２６】
図１（ａ）に示すように、ロックアーム１９が正規な位置にある状態から雄コネクタハウジング１２をフード部１３内に挿入すると、ロック突起２１がフード部１３の開口縁部１３ｂに当接し、さらに雄コネクタハウジング１２をフード部１３内に押し込むと、支持部１８が撓むことによりロックアーム１９が支持部１８を中心に回動し、ロック突起２１がフード部１３の開口縁部１３ｂを乗り越える。ロック突起２１がフード部１３の開口縁部１３ｂを乗り越えると、図２（ｂ）に示すように、支持部１８の弾性力によってロックアーム１９が正規な位置に復帰し、ロック突起２１が孔部２６内に挿入してロック係止部２７に係合する。
【００２７】
図１（ｂ）に示すように、ロックアーム１９に何らかの外力３０が加わって、ロックアーム１９が正規な位置にない状態で、雄コネクタハウジング１２をフード部１３内に挿入すると、図２（ａ）に示すように、矯正受部２０が矯正部２８に摺動することにより、ロックアーム１９を正規な位置に矯正する。この状態でさらに雄コネクタハウジング１２をフード部１３内に挿入すると、図２（ｂ）に示すように、ロック突起２１がロック係止部２７に係合しロック状態となる。
【００２８】
本実施形態によれば、ロックアーム１９が何らかの外力３０によって撓んでいても、雄コネクタハウジング１２をフード部１３内に挿入すると、矯正部２８が矯正受部２０に摺動することで、このロックアーム１９の撓みを矯正する。この結果、ロック時に良好な操作感覚が得られると共に、確実なロック状態を得ることができる。
【００２９】
なお、本実施形態におけるロックアーム１９は、雄コネクタハウジング１２の上面外周から突設した支持部１８を介して一体に形成したが、図４に示すように、ロックアーム１９の両側部から支持腕部３１、３１を突設させ、これらの支持腕部３１、３１を介して雄コネクタハウジング１２と一体に成形しても良い。
【００３０】
第２実施形態
次に図５（ａ）、（ｂ）に示す第２実施形態について説明する。本実施形態のコネクタ３２は上記実施形態と比較して、雄コネクタハウジング３３のロックアーム３４の形状が異なる。すなわち、上記実施形態では、ロックアーム１９の中間部が支持部１８を介して支持されたいわゆるシーソー型のロックアームであるが、本実施形態におけるロックアーム３４は、雄コネクタハウジング３３の嵌合面１７側から突設された片持型のロックアームである。
【００３１】
図５に示すように、本実施形態におけるロックアーム３４は、雄コネクタハウジング３３の嵌合面１７側から支持部３５を介して一体に突設されて片持状態に形成されている。また、支持部３５には、矯正部挿入孔３６が設けられている。
【００３２】
一方、雌コネクタハウジング１４のフード部１３内には、フード部１３の底面３７から矯正部３８が突設されている。この矯正部３８は、雄コネクタハウジング３３をフード部１３内に挿入すると、矯正部挿入孔３６内を挿通して、ロックアーム３４の撓み空間３９側の面に摺動する。
【００３３】
そして、ロックアーム３４に外力が加わって、撓み変形した状態で雄コネクタハウジング３３をフード部１３内に挿入すると、矯正部３８が矯正部挿入孔３６内を挿通して、ロックアーム３４の撓み空間３９側の面に摺動することによってロックアーム３４の撓み変形を矯正する。この結果、ロックアーム３４は、正規な位置でフード部１３内に挿入されることになるので、ロック突起２１とロック係止部２７とのロック時に良好な操作感覚を得ることができる。また、確実なロック状態とすることができる。
【００３４】
第３実施形態
次に図６（ａ）、（ｂ）に示す第４実施形態について説明する。本実施形態のコネクタ４１は上記第１、第２実施形態と異なり、雄コネクタハウジング４２のロックアーム４３が両持ち型となっている。
【００３５】
図６（ａ）に示すように、本実施形態のロックアーム４３は、雄コネクタハウジング４２のフード部１３への嵌合方向の前方側、すなわち嵌合面側１７の前方支持部４４と、嵌合方向の後方側の後方支持部４５とで雄コネクタハウジング４２に一体に形成されている。そして、前方支持部４４には、矯正部挿入孔４６が形成されている。
【００３６】
一方、雌コネクタハウジング１４のフード部１３には、底面３７から、矯正部４７が突設されている。この矯正部４７は、雄コネクタハウジング４２をフード部１３内に挿入すると、前方支持部４４の矯正部挿入孔４６内を挿通して、ロックアーム４３の撓み空間４８側の面と摺動する。
【００３７】
そして、ロックアーム４３に外力が加わって、撓み変形した状態で雄コネクタハウジング４２をフード部１３内に挿入すると、矯正部４７が矯正部挿入孔４６内を挿通して、ロックアーム４３に撓み空間４８側の面に摺動することによってロックアーム４３の撓み変形を矯正する。この結果、ロックアーム４３は、正規な位置で嵌合されることになるので、ロック突起２１とロック係止部２７とのロック時に良好な操作感覚を得ることができる。また、確実なロック状態とすることができる。
【００３８】
第４実施形態
次に図７乃至図１２に示す第４実施形態について説明する。本実施形態のコネクタ５１は、雄コネクタハウジング５２と、この雄コネクタハウジング５２が挿入・嵌合されるフード部５３を有する雌コネクタハウジング５４とで形成されている。雄コネクタハウジング５２内には、上記各実施形態と同様に、複数の端子収容室（図１１参照）５５が形成され、内部に雌端子（不図示）が収容されている。
【００３９】
また、雄コネクタハウジング５２の外周からは、図１１及び図１２に示すように、所定の間をあけて一対の側壁５２ａ、５２ａが突設されている。これらの間には、ロックアーム５９が配置されている。また、ロックアーム５９は、雄コネクタハウジング５２の雌コネクタハウジング５４への嵌合方向の先端側で両側部の支持腕部（図１２参照）５８、５８により、一対の側壁５２ａ、５２ａに一体に支持されている。このため、このロックアーム５９は、第２実施形態のロックアーム３４と同様に片持型のロックアームとなっている。また、一対の側壁５２ａ、５２ａ間のロックアーム５９の下面側が、このロックアーム５９の撓み空間５６となっている。また、この撓み空間５６は、雌コネクタハウジング５４への雄コネクタハウジング５２の嵌合方向の前方側は開口されている。さらに、ロックアーム５９の撓み空間５６側の下面には、弧状の突起が突設されて当接支点６０が形成されている。
【００４０】
一方、雌コネクタハウジング５４は、上記第１実施形態の雌コネクタハウジング５４と同様に、内部に雄端子が収容されており、雄端子の接触部がフード部５３内に突設されている。そして、フード部５３内に雄コネクタハウジング５２が挿入・嵌合されると雄コネクタハウジング５２内の雌端子と接触部とが接続される。また、フード部５３には、内外を連通する孔部６１が形成されている。この孔部６１の内壁にロック係止部６２が形成されている。ロック係止部６２には、フード部５３内に挿入・嵌合された雄コネクタハウジング５２のロック突起６３が係合する。
【００４１】
さらに、フード部５３の底壁５３ａからは、下方に向けて開口した凹字状断面の矯正部６４が、開口５３ｂ側に向けて突設されている。この突出長さは、上記ロック突起６３がロック係止部６２に係合した状態から、ロックアーム５９の中間部が撓むことができる高さに設定されている。従って、図９に示すように、フード部５３の底壁５３ａからロックアーム５９のロック突起６３までの略半分の高さ位置に設定されている。
【００４２】
そして、図７に示すように、ロックアーム５９が正規な位置にある状態から雄コネクタハウジング５２をフード部５３内に挿入すると、ロック突起６３がフード部５３の開口縁部５３ｃに当接し、さらに、雄コネクタハウジング５２をフード部５３内に押し込むと、支持腕部５８、５８が撓むことによりロックアーム５９が支持腕部５８、５８を中心に回動し、ロック突起６３がフード部５３の開口縁部５３ｃを乗り越える。ロック突起６３がフード部５３を乗り越えると、図９に示すように、支持腕部５８、５８の弾性力によりロックアーム５９が正規な位置に復帰し、ロック突起６３が孔部６１内に挿入してロック係止部６２に係合する。
【００４３】
また、図８に示すように何らかの外力が加わって、ロックアーム５９が撓んでしまい正規な位置にない状態で、雄コネクタハウジング５２をフード部５３内に挿入すると、矯正部６４の先端部が当接支点６０に当接し、さらに雄コネクタハウジング５２をフード部５３内に挿入すると、矯正部６４が当接支点６０と当接摺動することにより、ロックアーム５９が正規な位置に矯正される。この状態でさらに、雄コネクタハウジング５２をフード部５３内に挿入すると、図９に示すように、ロック突起６３がロック係止部６２に係合しロック状態となる。
【００４４】
本実施形態によれば、ロックアーム５９が何らかの外力により撓んでいても、雄コネクタハウジング５２をフード部５３内に挿入すると、矯正部６４が当接支点６０と当接摺動することで、ロックアーム５９の撓みを矯正する。この結果、ロック突起６３とロック係止部６２とのロック時に良好な操作感覚が得られると共に、確実なロック状態を得ることができる。
【００４５】
また、図９に示すように、雄コネクタハウジング５２をフード部５３内に完全に嵌合した状態では、ロックアーム５９の下面側を支えている。
【００４６】
【発明の効果】
以上説明したように請求項１の発明によれば、雌雄のコネクタハウジングを嵌合する前に、何らかの外力によってロックアームが撓み変形していても、この状態のまま雌雄のコネクタハウジングを嵌合させると、矯正部がロックアームの撓み変形を矯正して、ロックアームを正規な状態にするので、ロック突起がロック係止部に正規な状態で係合し、正規なロックを行うことができる。従って、ロック時に良好な操作感覚を得ることができると共に、確実なロックを行うことができる。
【００４７】
請求項２の発明によれば、何らかの外力によってロックアームが撓み変形していても、雄コネクタハウジングと雌コネクタハウジングとを嵌合させると、矯正部が撓み変形しているロックアームを元の位置に矯正するので、ロックアームは正規に撓むことによってロック突起がロック係止部に係合する。これにより、ロック時に良好な操作感覚を得ることができると共に、確実なロックを行うことができる。
【００４８】
請求項３の発明によれば、何らかの外力によりロックアームが撓み変形している状態で、雄コネクタハウジングを雌コネクタハウジング内に挿入するとロックアームの矯正受部が矯正部と摺動することによってロックアームを正規な位置に矯正する。この結果、ロック突起がロック係止部に正規な状態でロックするので、ロック時に良好な操作感覚を得ることができ、確実なロックを行うことができる。
【００４９】
請求項４の発明によれば、片持支持されたロックアームが何らかの外力により、撓んでいても、雄コネクタハウジングと雌コネクタハウジングとの嵌合によって矯正部がロックアームの撓み空間側の面に摺動することによって矯正し、ロックアームを正規な位置に戻す。この結果、ロック時に良好な操作感覚を得ることができ、確実なロックを行うことができる。
【００５０】
請求項５の発明によれば、両持ち支持されたロックアームが何らかの外力により、撓んでいても、雄コネクタハウジングと雌コネクタハウジングとの嵌合によって矯正部がロックアームの撓み空間側の面に摺動することによって矯正し、ロックアームを正規な位置に戻す。この結果、ロック時に良好な操作感覚を得ることができ、確実なロックを行うことができる。
【００５１】
請求項６の発明によれば、一対の側壁に両側部が支持されたロックアームが何らかの外力により撓んでいても、雄コネクタハウジングと雌コネクタハウジングとの嵌合により矯正部が当接支点に当接摺動することによって矯正し、ロックアームを正規な位置に戻すので、ロック突起とロック係止部との良好なロック時に良好な操作感覚を得ることができる。
【図面の簡単な説明】
【図１】本発明が適用された第１実施形態のコネクタを示し、（ａ）は雄コネクタハウジングと雌コネクタハウジングとを嵌合する前の状態を示す断面図、（ｂ）はロックアームに外力が加わって撓み変形している状態を示す断面図である。
【図２】第１実施形態のコネクタを示し、（ａ）は雄コネクタハウジングをフード部内に挿入・嵌合途中の状態を示す断面図、（ｂ）は雄コネクタハウジングをフード部内に完全に挿入・嵌合させた状態を示す断面図である。
【図３】第１実施形態のコネクタのロックアーム先端を示す斜視図である。
【図４】第１実施形態のコネクタのロックアームの変形例を示す斜視図である。
【図５】第２実施形態のコネクタを示し、（ａ）は雄コネクタハウジングをフード部内に挿入・嵌合する前の状態を示す断面図、（ｂ）は雄コネクタハウジングをフード部内に完全に挿入・嵌合した状態を示す断面図である。
【図６】第３実施形態のコネクタを示し、（ａ）は雄コネクタハウジングをフード部内に挿入・嵌合する前の状態を示す断面図、（ｂ）は雄コネクタハウジングをフード部内に完全に挿入・嵌合した状態を示す断面図である。
【図７】第４実施形態のコネクタを示す断面図である。
【図８】第４実施形態のコネクタにおいてロックアームに外力が加わって撓んだ状態を示す断面図である。
【図９】第４実施形態のコネクタにおいて雄コネクタハウジングを雌コネクタハウジングのフード部内に完全に嵌合した状態を示す断面図である。
【図１０】第４実施形態の雌コネクタハウジングを示す正面図である。
【図１１】第４実施形態の雄コネクタハウジングを示す斜視図である。
【図１２】第４実施形態の雄コネクタハウジングを示し、（ａ）は平面図、（ｂ）は正面図である。
【図１３】従来のコネクタを示す斜視図である。
【符号の説明】
１１、３２、５１  コネクタ
１２、３３、５２  雄コネクタハウジング
１４、５３  雌コネクタハウジング
１９、３４、５９  ロックアーム
２１、６３  ロック突起
２７、６２  ロック係止部
２８、３８、４７、６４  矯正部
【図１】
0003561143.tif 000002
【図２】
0003561143.tif 000003
【図３】
0003561143.tif 000004
【図４】
0003561143.tif 000005
【図５】
0003561143.tif 000006
【図６】
0003561143.tif 000007
【図７】
0003561143.tif 000008
【図８】
0003561143.tif 000009
【図９】
0003561143.tif 000010
【図１０】
0003561143.tif 000011
【図１１】
0003561143.tif 000012
【図１２】
0003561143.tif 000013
【図１３】
0003561143.tif 000014